(57)【要約】【課題】  光源に隣接する特定方向への光の漏れを抑制することができるパネル照明機能を有する回路基板及びこれを備えた表示装置を提供すること。【解決手段】  フロントパネル２の裏側に設けられ、当該フロントパネル２の点灯表示窓４をその裏側から照明する回路基板５において、前記照明を行うためのＬＥＤ７と、このＬＥＤ７が実装される基板本体８とを備え、この基板本体８は前記ＬＥＤ７に対して特定方向に隣接する位置に基板本体８をその厚み方向に貫くギャップ８ａを有している。【選択図】      図１
2006114077.tif 000002
【特許請求の範囲】
【請求項１】
表示パネルの裏側に設けられ、当該表示パネルの表示部をその裏側から照明するパネル照明機能を有する回路基板において、前記照明を行うための光源と、この光源が実装される基板本体とを備え、この基板本体は前記光源に対して特定方向に隣接する位置に基板本体をその厚み方向に貫くギャップを有することを特徴とするパネル照明機能を有する回路基板。
【請求項２】
請求項１記載のパネル照明機能を有する回路基板において、前記ギャップは前記光源を複数方向から囲む形状を有することを特徴とするパネル照明機能を有する回路基板。
【請求項３】
請求項１又は２記載のパネル照明機能を有する回路基板において、前記基板本体に複数個の光源が実装され、そのうちの特定の光源同士の間に前記ギャップが設けられていることを特徴とするパネル照明機能を有する回路基板。
【請求項４】
請求項１〜３のいずれかに記載のパネル照明機能を有する回路基板において、前記光源が前記基板本体の板厚領域内もしくはそれよりも基板本体の裏側の位置に配設されていることを特徴とするパネル照明機能を有する回路基板。
【請求項５】
表示部を有するパネルと、このパネルの裏側に配設される請求項１〜４のいずれかに記載のパネル照明機能を有する回路基板と、少なくともこの回路基板と前記パネルの裏面とで挟まれる空間内において前記回路基板のギャップに対応する領域に存在する遮光壁とを備えたことを特徴とする表示装置。
【請求項６】
請求項５記載の表示装置において、前記遮光壁が前記ギャップを前記基板本体の板厚方向に貫くように配置されていることを特徴とする表示装置。
【請求項７】
請求項５または６記載の表示装置において、前記光源から発せられる光を前記表示パネルの表示部に導く導光材と、この導光材を保持する導光材ホルダとを備え、この導光材ホルダはその裏面から前記遮光壁が突出する形状に一体に成形されていることを特徴とする表示装置。
【発明の詳細な説明】
【技術分野】
【０００１】
本発明は、パネル照明機能を有する回路基板及びこれを備えた表示装置に関するものである。
【背景技術】
【０００２】
一般に、表示部が設定された表示パネルと、この表示パネルの裏側に配置された基板とを備え、この基板上に装着された光源によって表示パネルの表示部を裏側から照明するためのユニットが知られている。
【０００３】
例えば、特許文献１のユニットでは、表示部が設定されたケースと基板との間で、照射光が表示部から外れた側方へ漏れることを抑制するための遮光部材を備えている。この遮光部材は、光源の光路を囲むように基板上に載置されている。
【特許文献１】特開２００１−１４９６６号公報
【発明の開示】
【発明が解決しようとする課題】
【０００４】
しかしながら、上記特許文献１のユニットでは、遮光部材を基板上に載置した構成としているので、光源により基板表面へ照射された光が、遮光部材を超えた光源の側方位置へ漏れてしまうおそれがあった。
【０００５】
つまり、上記特許文献１のユニットでは、ケースと基板との間において照射光が側方へ漏れることを遮光部材により抑えることができるものの、基板に照射された光が当該基板内を透過して光源に隣接する方向へ漏れてしまうおそれがあった。
【０００６】
本発明は、上記課題に鑑みてなされたものであり、光源に隣接する特定方向への光の漏れを抑制することができるパネル照明機能を有する回路基板及びこれを備えた表示装置を提供することを目的としている。
【課題を解決するための手段】
【０００７】
上記課題を解決するために本発明は、表示パネルの裏側に設けられ、当該表示パネルの表示部をその裏側から照明するパネル照明機能を有する回路基板において、前記照明を行うための光源と、この光源が実装される基板本体とを備え、この基板本体は前記光源に対して特定方向に隣接する位置に基板本体をその厚み方向に貫くギャップを有するものである。
【０００８】
本発明によれば、基板本体にギャップが設けられているので、光源による光が、当該光源と隣接する特定方向ヘ漏れるのを抑制することができる。
【０００９】
つまり、本発明では、基板本体を媒体として透過する照射光について、その透過経路をギャップにより分断することができるので、当該ギャップが形成された方向（光源と隣接する特定方向）への光の漏れを抑制することができる。
【００１０】
前記照明機能を有する回路基板において、前記ギャップは前記光源を複数方向から囲む形状を有することが好ましい。
【００１１】
この構成によれば、光の漏れを光源回りの複数方向について抑制することができる。
【００１２】
前記照明機能を有する回路基板において、前記基板本体に複数個の光源が実装され、そのうちの特定の光源同士の間に前記ギャップが設けられていることが好ましい。
【００１３】
この構成によれば、光源同士の間にギャップが設けられているので、両光源による照射光が基板本体を透過して互いに干渉してしまうことを抑制することができる。
【００１４】
前記照明機能を有する回路基板において、前記光源が前記基板本体の板厚領域内もしくはそれよりも基板本体の裏側の位置に配設されているものが特に有効である。
【００１５】
この構成によれば、基板本体上に実装するよりも光源の配設位置を基板本体表面から背面側へ引っ込んだ位置として、当該基板本体の表面側のスペースを広くしながら、基板本体を媒体とする光の透過を抑制することができる。つまり、光源の配設位置が背面側へシフトすることにより、基板本体に対する光源の照射光量が増加して、当該基板本体内の光の透過が発生し易くなるが、この透過経路を前記ギャップによって分断することができるので、基板本体上のスペースを広くしながら、基板本体内の光の透過を抑制することができる。
【００１６】
また、本発明は、表示部を有するパネルと、このパネルの裏側に配設される前記パネル照明機能を有する回路基板と、少なくともこの回路基板と前記パネルの裏面とで挟まれる空間内において前記回路基板のギャップに対応する領域に存在する遮光壁とを備えた表示装置を提供する。
【００１７】
本発明の表示装置によれば、基板本体に設けられたギャップによって、基板本体へ照射された光について、当該基板本体を媒体とした透過経路を分断することができるので、当該ギャップが形成された方向（光源と隣接する特定方向）への光の漏れを抑制することができる。
【００１８】
さらに、本発明の表示装置では、回路基板とパネル裏面との間で前記ギャップに対応する領域に遮光壁が設けられているので、基板本体とパネルとの間における光源の照射光についても、遮光壁の外側に光が漏れるのを抑制することができる。
【００１９】
したがって、本発明の表示装置によれば、前記ギャップによって基板本体を媒体とした照射光の漏れを抑制することができるだけでなく、基板本体とパネルとの間において、光源による照射光が表示部を外れた側方位置へ漏れることも前記遮光壁によって抑制することができる。
【００２０】
前記表示装置において、前記遮光壁が前記ギャップを前記基板本体の板厚方向に貫くように配置されていることが好ましい。
【００２１】
この構成によれば、基板本体を媒体とする照射光の透過経路を、前記ギャップだけでなく、遮光壁によっても分断することができるので、前記透過経路を介した照射光の漏れをより確実に抑えることができる。
【００２２】
前記表示装置において、前記光源から発せられる光を前記表示パネルの表示部に導く導光材と、この導光材を保持する導光材ホルダとを備え、この導光材ホルダはその裏面から前記遮光壁が突出する形状に一体に成形されていることが好ましい。
【００２３】
この構成によれば、導光材ホルダに遮光壁が一体に形成されているので、導光材に対する遮光壁の位置決め作業を省略することができるだけでなく、遮光壁を別部材とする場合と比較して、コストを低減させることができる。
【００２４】
また、この構成によれば、導光材ホルダに遮光壁が形成されているので、遮光壁の外側へ照射光が漏れることを抑制しつつ、当該照射光を導光材及び表示部へ確実に導くことができる。
【発明の効果】
【００２５】
本発明によれば、光源に隣接する特定方向への光の漏れを抑制することができる。
【発明を実施するための最良の形態】
【００２６】
以下、本発明の好ましい実施形態について図面を参照して説明する。
【００２７】
図１は、本発明の実施形態に係る自動車用のオーディオ装置を分解して示す斜視図であり、図２は、図１の回路基板の一部を拡大して示す正面図であり、図３は、図１の導光材ホルダを示す、（ａ）は平面図、（ｂ）は背面図であり、図４は、図３のIV−IV線断面図である。
【００２８】
各図を参照して、オーディオ装置（表示装置）１は、フロントパネル２の表面に形成された表示部（ＣＤ用操作ボタン３、点灯表示窓４）を、当該フロントパネル２の背面に配設された回路基板５の光源（ランプ６、ＬＥＤ７）によって背面から照明するようになっている。そして、前記回路基板５の基板本体８には、ギャップ８ａが形成されているので、前記ＬＥＤ７により回路基板５側へ照射された光が、基板本体８内を透過してランプ６側へ漏れてしまうことを抑制することができる。
【００２９】
具体的に、オーディオ装置１のフロントパネル２には、回路基板５、導光材ホルダ９、ＣＤ用操作ボタン３、１０、１１が、オーディオ装置１の背面側から順に内蔵されている。
【００３０】
回路基板５は、基板本体８と、この基板本体８上に実装されたランプ６及びＬＥＤ７とを備え、これらランプ６及びＬＥＤ７は、ランプ６が上、ＬＥＤ７が下となるように互いに隣接して配置されている。
【００３１】
前記基板本体８には、その厚み方向に貫通するとともに正面視で下方へ開くＥ字形のギャップ８ａが形成されている。このギャップ８ａにおける３本の縦線Ｌ２、Ｌ３、Ｌ４（図２参照）のうち、中央の縦線Ｌ３下端部には、前記ＬＥＤ７が収容されている。具体的に、ＬＥＤ７は、略円柱状の照射部７ａと、この照射部７ａの端部で周方向に膨出するフランジ７ｂとを備え、前記照射部７ａが前記縦線Ｌ３下端部に基板本体８の裏側から挿入された（照射部７ａが基板本体８の板厚領域内に配置された）姿勢で、基板本体８に装着されている。
【００３２】
同様に、前記ランプ６は、略円柱状の照射部６ａと、この照射部６ａの端部で周方向に膨出するフランジ６ｂとを有し、前記照射部６ａが基板本体８を表裏に貫通する孔８ｂに挿入された（照射部６ａが基板本体８の板厚領域内に配置された）姿勢で、基板本体８に装着されている。
【００３３】
このように、基板本体８には、ＬＥＤ７に対して隣接する位置にギャップ８ａが形成されているので、当該基板本体８を媒体として透過するＬＥＤ７の照射光について、その透過経路をギャップ８ａにより分断することができ、当該照射光がＬＥＤ７の上方及び左右両側へ透過するのを抑制することができる。
【００３４】
そして、前記回路基板５では、ランプ６とＬＥＤ７との間にギャップ８ａが形成されているので、これらランプ６及びＬＥＤ７の照射光同士が基板本体８を介して干渉することを抑制することができる。
【００３５】
さらに、前記回路基板５では、基板本体８の板厚領域にランプ６及びＬＥＤ７が配設されているので、当該基板本体８の上方のスペースを広くすることができる。
【００３６】
一方、前記フロントパネル２には、その上部にＣＤ挿抜窓１２が形成されているとともに、このＣＤ挿抜窓１２を挟んで左側に一つのＣＤ用操作ボタン窓１３、右側に二つのＣＤ用操作ボタン窓１４、１５が形成されている。さらに、フロントパネル２には、前記ＣＤ挿抜窓１２とＣＤ用操作ボタン窓１３との間に点灯表示窓４が形成されている。
【００３７】
前記ＣＤ用操作ボタン窓１３、１４、１５には、それぞれＣＤ用操作ボタン３、１０、１１が裏側から嵌め込まれてフロントパネル２表面に突出することにより、各操作ボタン３、１０、１１の押圧操作が可能となっている。
【００３８】
前記導光材ホルダ９は、前記ＣＤ用操作ボタン３、１０、１１の直ぐ裏側となる位置にそれぞれ導光材保持部１６、１７、１８を有し、前記点灯表示窓４の直ぐ裏側となる位置に導光材保持部１９を有しており、これら導光材保持部１６、１７、１８、１９及びＣＤ挿抜口２０は、導光材ホルダ９を表裏に貫通するように形成されている。また、前記ＣＤ挿抜口２０の周囲には、当該ＣＤ挿抜口２０を通過するＣＤ（コンパクトディスク）と接触するＣＤ用のフェルト材２１が貼着されている。
【００３９】
前記導光材保持部１６には導光材２２が保持され、前記導光材保持部１７、１８には導光材２３が保持され、導光材保持部１９には導光材２４が保持されている。
【００４０】
前記導光材２２は、前記ランプ６から発せられる光を前記ＣＤ用操作ボタン３の裏側に導くためのものであり、全体がアクリル樹脂等の比較的透光性の高い材料により形成されるとともに、その適所に他の部分よりも厚みが大きくて表面側に突出するレンズ部２２ａが形成されている。そして、このレンズ部２２ａが前記導光材保持部１６に裏側から嵌め込まれるようにして導光材２２の全体が前記導光材ホルダ９に保持されている。
【００４１】
また、導光材２２は、前記基板本体８上のランプ６の装着位置に対応して形成されたアーチ部２２ｂを備えている。このアーチ部２２ｂは、基板本体８に導光材ホルダ９を取り付けた際に、ランプ６側面の左右両側及び上方を取り囲むように円弧状に形成されており、このアーチ部２２ｂに対して照射されたランプ６の光が前記レンズ部２２ａへ導かれるようになっている。
【００４２】
一方、導光材２３は、図略のランプから発せられる光を前記ＣＤ用操作ボタン１０、１１の裏側に導くためのものであり、その適所に一対のレンズ部２３ａ、２３ｂが形成されている。そして、これらレンズ部２３ａ、２３ｂが前記導光材保持部１７、１８に裏側から嵌め込まれるようにして前記導光材ホルダ９に保持されている。
【００４３】
また、導光材２４は、前記ＬＥＤ７から発せられる光を前記点灯表示窓４を通じて外部に導出するためのものであり、全体がアクリル樹脂等の比較的透光性の高い材料により形成されてレンズを構成し、前記導光材保持部１９に裏側から嵌め込まれるようにして前記導光材ホルダ９に保持されている。
【００４４】
そして、前記導光材ホルダ９には、図３に示すように、保持している導光材２２と導光材２４との間で背面側へ突出する遮光壁２６が形成されている。この遮光壁２６は、前記回路基板５に導光材ホルダ９を取り付けた際に、ＬＥＤ７を上方及び左右両側で囲繞するようにコの字形の断面形状とされている。そのため、前記ＬＥＤ７により基板本体８の正面側へ照射された光が、前記導光材２２に対して照射されることを抑制することができる。
【００４５】
さらに、前記遮光壁２６は、Ｅ字形のギャップ８ａにおける横線Ｌ１及び縦線Ｌ２並びに縦線Ｌ４部分（図２参照）に挿入可能なコの字形状とされているとともに、基板本体８と導光材ホルダ９との間隔よりも大きい高さ寸法とされている。つまり、前記遮光壁２６は、図４に示すように、前記基板本体８と前記導光材ホルダ９とを取り付けた際に、ギャップ８ａを貫通するようになっているので、当該ギャップ８ａによる遮光効果と相俟って、ＬＥＤ７の照射光が基板本体８内を透過するのをより確実に抑えることができる。
【００４６】
以上説明したように、前記オーディオ装置１によれば、基板本体８にギャップ８ａが設けられているので、ＬＥＤ７による光が、当該ＬＥＤ７と隣接する特定方向ヘ漏れるのを抑制することができる。
【００４７】
つまり、前記オーディオ装置１では、基板本体８を媒体として透過するＬＥＤ７の照射について、その透過経路をギャップ８ａにより分断することができるので、当該ギャップ８ａが形成された方向（ＬＥＤ７と隣接する特定方向）への光の漏れを抑制することができる。
【００４８】
前記ギャップ８ａが前記ＬＥＤ７を複数方向から囲むコの字形に形成された構成によれば、光の漏れをＬＥＤ７回りの複数方向（上方及び左右両側）について抑制することができる。
【００４９】
前記ＬＥＤ７とランプ６との間にギャップ８ａを形成した構成によれば、これらＬＥＤ７及びランプ６による照射光が基板本体８を透過して互いに干渉してしまうことを抑制することができる。
【００５０】
前記ＬＥＤ７が基板本体８の板厚領域内に配設された構成によれば、基板本体８上に実装するよりもＬＥＤ７の配設位置を基板本体８の表面から背面側へ引っ込んだ位置として、当該基板本体８の表面側のスペースを広くしながら、基板本体８を媒体とする光の透過を抑制することができる。つまり、ＬＥＤ７の配設位置が背面側にシフトすることにより、基板本体８に対するＬＥＤ７の照射光量が増加して、当該基板本体８内の光の透過が発生し易くなるが、この透過経路を前記ギャップ８ａによって分断することができるので、基板本体８上のスペースを広くしながら、基板本体８内の光の透過を抑制することができる。
【００５１】
なお、上記実施形態では、ＬＥＤ７を基板本体８の板厚領域内に配置した構成としているが、さらに基板本体８の裏側の位置に配設することもできる。
【００５２】
さらに、上記オーディオ装置１では、回路基板８とフロントパネル２の裏面との間で前記ギャップ８ａに対応する領域に遮光壁２６が設けられているので、フロントパネル２と基板本体８との間におけるＬＥＤ７の照射光について、遮光壁２６の外側に光が漏れるのを抑制することができる。
【００５３】
したがって、上記オーディオ装置１では、前記ギャップ８ａによって基板本体８を媒体とした照射光の漏れを抑制することができるだけでなく、基板本体８とフロントパネル２との間において、ＬＥＤ７による照射光が点灯表示窓４（導光材２４）を外れた側方位置ヘ漏れることも前記遮光壁２６によって抑制することができる。
【００５４】
前記遮光壁２６が前記ギャップ８ａを前記基板本体８の板厚方向に貫くようにした構成によれば、基板本体８を媒体とする照射光の透過経路を、前記ギャップ８ａだけでなく、遮光壁２６によっても分断することができるので、前記透過経路を介した照射光の漏れをより確実に抑えることができる。
【００５５】
前記遮光壁２６を導光材ホルダ９の裏面から突出する形状とした構成によれば、遮光壁２６の外側ヘ照射光が漏れることを抑制しつつ、当該照射光を導光材２４、さらには点灯表示窓４へ確実に導くことができる。
【００５６】
さらに、この構成では、導光材ホルダ９に遮光壁２６を一体に成形しているので、導光材２４に対する遮光壁２６の位置決め作業を省略することができるだけでなく、遮光壁２６を別部材とする場合と比較して、コストを低減することができる。
【００５７】
なお、上記実施形態では、ランプ６とＬＥＤ７とを隣接して配設し、これらランプ６とＬＥＤ７との間にギャップ８ａが形成されているが、これに限定されることはなく、ＬＥＤ７又はランプ６を他の光源から離間して基板本体８に装着した場合であっても、当該ランプ６又はＬＥＤ７の隣接する位置にギャップ８ａを形成することにより、当該ランプ６又はＬＥＤ７の隣接する方向への光の漏れを抑制することができる。
【００５８】
また、上記実施形態では、ＬＥＤ７を基板本体８の板厚領域又は基板本体８の裏側に配設するようにしているが、これに限定されることはなく、ＬＥＤ７は、基板本体８上に立設されていてもよい。この構成においても、基板本体８表面に照射された光が、当該基板本体８を媒体として隣接する方向へ漏れるのを抑制することができる。
【００５９】
さらに、上記実施形態では、遮光壁２６がギャップ８ａを貫通して配置されているが、遮光壁２６は、基板本体８表面上で終端させることもできる。この構成であっても、導光材２４までのＬＥＤ７の光路を遮光壁２６によって囲繞することができるので、導光材ホルダ９へ向かう照射光が側方へ漏れるのを抑制することができる。
【００６０】
また、上記実施形態では、導光材ホルダ９に遮光壁２６を一体に形成しているが、遮光壁２６と導光材ホルダ９とを別部材とすることもできる。
【図面の簡単な説明】
【００６１】
【図１】本発明の実施形態に係る自動車用のオーディオ装置を分解して示す斜視図である。
【図２】図１の回路基板の一部を拡大して示す正面図である。
【図３】図１の導光材ホルダを示す、（ａ）は平面図、（ｂ）は背面図である。
【図４】図３のIV−IV線断面図である。
【符号の説明】
【００６２】
１    オーディオ装置
２    フロントパネル
３    ＣＤ用操作ボタン
４    点灯表示窓
５    回路基板
６    ランプ
７    ＬＥＤ
８    基板本体
８ａ    ギャップ
２２    導光材
２４    導光材
２６    遮光壁
【図１】
2006114077.tif 000003
【図２】
2006114077.tif 000004
【図３】
2006114077.tif 000005
【図４】
2006114077.tif 000006